(57)【要約】【課題】本発明は植物の成長速度を調整できる試薬調合装置を開示した。【解決手段】試薬箱を含み、前記試薬箱の中には上方に開口した液体空間が設置され、前記液体空間の中には押し板がスライド可能に取り付けられ、前記押し板には液体を計量する第一試薬カップがあり、前記第一押し板の底面と前記液体空間の底壁との間には第一ばねが固定的に装着され、伝動機構と計量機構の協働によって押し板とスライド板が上下に移動して第一試薬カップと第二試薬カップの中の原料を一定の比例で取り、原料は多すぎ或いは少なすぎることで試薬の効果に影響する状況の発生を避け、また撹拌機構内のモーターによって試薬の混合はもっと十分になり、カバー板は撹拌空間をカバーできることによって試薬が撹拌の過程に飛び散って試薬を浪費することを防止できる。【選択図】図１
2020184986.tif 000002
【特許請求の範囲】
【請求項１】
試薬箱を含み、前記試薬箱の中には上方に開口した液体空間が設置され、前記液体空間の中には押し板がスライド可能に取り付けられ、前記押し板には液体を計量する第一試薬カップがあり、前記第一押し板の底面と前記液体空間の底壁との間には第一ばねが固定的に装着され、前記第一試薬カップの中にある液体の量は異なり、前記押し板は前記第一ばねによって下方に一定の距離移動し、前記液体空間の右側には粉末物質を計量する計量機構が設置され、前記液体空間の下方には前記計量機構の計量を制御する伝動機構が設置され、
前記試薬箱において前記計量機構の右側に位置するところには上方に開口した入口が設置され、前記入口が前記液量機構と連通し、粉末物質が前記入口を介して前記計量機構の中に入り、前記計量機構の後側にはまた撹拌機能を備えた撹拌機構が設置されていることを特徴とする植物の成長速度を調整できる試薬調合装置。
【請求項２】
前記伝動機構は移動溝と、押しロッドと、ヒンジ空間と、ヒンジロッドと、連結溝と、連結板と、噛合空間と、伝動ロッドと、歯車と、補助溝と、補助板と、スライド溝と、スライダと、抜き孔と、円柱ブロックによって構成され、
前記移動溝が前記液体空間の下方に連通するように形成され、前記移動溝の中には前記押しロッドがスライド可能に取り付けられ、前記押しロッドの頂面と前記押し板の底面とが固定的に連結され、前記移動溝の右側には前記ヒンジ空間が連通するように設置され、前記押しロッドには前記ヒンジロッドがヒンジで連結され、前記ヒンジ空間の右側には前記連結溝が形成され、前記連結溝の中には前記連結板がスライド可能に取り付けられ、前記連結板と前記ヒンジロッドとがヒンジで連結され、前記連結溝の下方には前記噛合空間が連通するように設置され、前記噛合空間の前後内壁の間には前記伝動ロッドが回転可能に取り付けられ、前記伝動ロッドには前記歯車が固定的に装着され、前記歯車と前記連結板とが噛み合い、前記噛合空間の下方には前記補助溝が連通するように形成され、前記補助溝の中には前記補助板がスライド可能に取り付けられ、前記補助板と前記歯車とが噛み合い、前記補助溝の右側には前記スライド溝が連通するように形成され、前記スライド溝の中には前記スライダがスライド可能に取り付けられ、前記スライダの中には前記抜き孔が設置され、前記補助板の前側には前記円柱ブロックが固定的に取り付けられ、前記円柱ブロックと前記抜き孔とがスライド可能に取り付けられていることを特徴とする請求項１に記載の植物の成長速度を調整できる試薬調合装置。
【請求項３】
前記計量機能は固体空間と、スライド板と、第二試薬カップと、第二ばねと、位置制限空間と、押し動かしブロックによって構成され、
前記固体空間が前記液体空間の右側に上方に開口するように設置され、前記固体空間の中には前記スライド板がスライド可能に取り付けられ、前記スライド板には粉末物質を貯蔵する前記第二試薬カップがあり、前記スライド板の底面と前記固体空間の底壁との間には前記第二ばねが固定的に取り付けられ、前記固定空間の下方には前記位置制限空間が連通するように設置され、前記位置制限空間の中には前記押し動かしブロックがスライド可能に取り付けられ、スライド板が伝動機構によって第二試薬カップを移動させることを特徴とする請求項１に記載の植物の成長速度を調整できる試薬調合装置。
【請求項４】
前記スライド溝の上方には押し動かし溝が連通するように形成され、前記押し動かし溝の中には移動板がスライド可能に取り付けられ、前記移動板の底面と前記スライダの頂面とが固定的に連結され、前記移動板の左側面と前記押し動かしブロックの右側面とが固定的に連結されていることを特徴とする請求項１に記載の植物の成長速度を調整できる試薬調合装置。
【請求項５】
前記押し動かし溝が上方に伸びて前記入口の頂壁を貫通し、前記移動板の中には空き溝が形成され、前記空き溝が前記入口と連通し、前記固体空間の右側内壁には連結管が固定的に取り付けられ、前記連結管と前記入口とが連通することを特徴とする請求項１に記載の植物の成長速度を調整できる試薬調合装置。
【請求項６】
前記撹拌機構は撹拌空間と、モーターと、回転ロッドと、撹拌ロッドによって構成され、
前記撹拌空間がは前記固体空間の後側に上方に開口するように設置され、前記撹拌空間の下方には前記モーターが固定的に取り付けられ、前記モーターの上向きの出力軸の頂面には前記撹拌空間の底壁を貫通した前記回転ロッドが固定的に取り付けられ、前記回転ロッドには前記撹拌ロッドが固定的に取り付けられていることを特徴とする請求項１に記載の植物の成長速度を調整できる試薬調合装置。
【請求項７】
前記試薬箱の頂面において前記撹拌空間の右側に位置するところには固定ブロックが固定的に取り付けられ、前記固定ブロックの前後側面の間には固定ロッドが固定的に取り付けられ、前記固定ロッドにはカバー板が回転可能に取り付けられ、前記カバー板は前記撹拌空間をカバーできることによって、前記撹拌機構は撹拌を行う時に試薬が飛び散ることを防止することを特徴とする請求項１に記載の植物の成長速度を調整できる試薬調合装置。
【請求項８】
前記撹拌空間の後側内壁には出口が連通するように設置され、前記試薬箱の後側面には蛇口が固定的に取り付けられ、前記蛇口が前記出口と連通し、試薬は十分に撹拌された後に前記蛇口によって出ることができることを特徴とする請求項１に記載の植物の成長速度を調整できる試薬調合装置。
【発明の詳細な説明】
【技術分野】
【０００１】
本願発明は肥料研磨分配技術分野に関わり、具体的には植物の成長速度を調整できる試薬調合装置である。
【背景技術】
【０００２】
植物成長調整剤は植物ホルモンに似ている生物学的機能を有する物質であり、農業生産で作物の生育過程を有効に調整するために使用され、生産量を安定してさらに増やす目的と、生産物の品質を改善する目的と、作物のストレス耐性を向上させる目的を実現する。
今の植物成長調整剤を調合する過程に、添加剤を加えて撹拌する方法によって各試薬を混合する。しかし、普通の植物成長速度を調整できる試薬を調合する装置は各原料の調合比率をよくコントロールできないことで、一部の試薬原料が多すぎ或いは少なすぎる問題をもたらし、そして試薬の効果に影響を及ぼし、また、撹拌する過程に、試薬は飛び散ってものを浪費する問題が生じる。
【先行技術文献】
【特許文献】
【０００３】
【特許文献１】中国特許出願公開第１０１６５８７７３号明細書
【発明の概要】
【発明が解決しようとする課題】
【０００４】
本願発明の目的は植物の成長速度を調整できる試薬調合装置を提供することによって既存の技術における上記の欠点を解決することである。
【課題を解決するための手段】
【０００５】
本願発明の植物の成長速度を調整できる試薬調合装置は、試薬箱を含み、前記試薬箱の中には上方に開口した液体空間が設置され、前記液体空間の中には押し板がスライド可能に取り付けられ、前記押し板には液体を計量する第一試薬カップがあり、前記第一押し板の底面と前記液体空間の底壁との間には第一ばねが固定的に装着され、前記第一試薬カップの中にある液体の量は異なり、前記押し板は前記第一ばねによって下方に一定の距離移動し、前記液体空間の右側には粉末物質を計量する計量機構が設置され、前記液体空間の下方には前記計量機構の計量を制御する伝動機構が設置されている。
【０００６】
前記試薬箱において前記計量機構の右側に位置するところには上方に開口した入口が設置され、前記入口が前記液量機構と連通し、粉末物質が前記入口を介して前記計量機構の中に入り、前記計量機構の後側にはまた撹拌機能を備えた撹拌機構が設置されている。
【０００７】
前記伝動機構は移動溝と、押しロッドと、ヒンジ空間と、ヒンジロッドと、連結溝と、連結板と、噛合空間と、伝動ロッドと、歯車と、補助溝と、補助板と、スライド溝と、スライダと、抜き孔と、円柱ブロックによって構成され、前記移動溝が前記液体空間の下方に連通するように形成され、前記移動溝の中には前記押しロッドがスライド可能に取り付けられ、前記押しロッドの頂面と前記押し板の底面とが固定的に連結され、前記移動溝の右側には前記ヒンジ空間が連通するように設置され、前記押しロッドには前記ヒンジロッドがヒンジで連結され、前記ヒンジ空間の右側には前記連結溝が形成され、前記連結溝の中には前記連結板がスライド可能に取り付けられ、前記連結板と前記ヒンジロッドとがヒンジで連結され、前記連結溝の下方には前記噛合空間が連通するように設置され、前記噛合空間の前後内壁の間には前記伝動ロッドが回転可能に取り付けられ、前記伝動ロッドには前記歯車が固定的に装着され、前記歯車と前記連結板とが噛み合い、前記噛合空間の下方には前記補助溝が連通するように形成され、前記補助溝の中には前記補助板がスライド可能に取り付けられ、前記補助板と前記歯車とが噛み合い、前記補助溝の右側には前記スライド溝が連通するように形成され、前記スライド溝の中には前記スライダがスライド可能に取り付けられ、前記スライダの中には前記抜き孔が設置され、前記補助板の前側には前記円柱ブロックが固定的に取り付けられ、前記円柱ブロックと前記抜き孔とがスライド可能に取り付けられている。
【０００８】
前記計量機能は固体空間と、スライド板と、第二試薬カップと、第二ばねと、位置制限空間と、押し動かしブロックによって構成され、前記固体空間が前記液体空間の右側に上方に開口するように設置され、前記固体空間の中には前記スライド板がスライド可能に取り付けられ、前記スライド板には粉末物質を貯蔵する前記第二試薬カップがあり、前記スライド板の底面と前記固体空間の底壁との間には前記第二ばねが固定的に取り付けられ、前記固定空間の下方には前記位置制限空間が連通するように設置され、前記位置制限空間の中には前記押し動かしブロックがスライド可能に取り付けられ、スライド板が伝動機構によって第二試薬カップを移動させる。
【０００９】
前記スライド溝の上方には押し動かし溝が連通するように形成され、前記押し動かし溝の中には移動板がスライド可能に取り付けられ、前記移動板の底面と前記スライダの頂面とが固定的に連結され、前記移動板の左側面と前記押し動かしブロックの右側面とが固定的に連結されている。
【００１０】
前記押し動かし溝が上方に伸びて前記入口の頂壁を貫通し、前記移動板の中には空き溝が形成され、前記空き溝が前記入口と連通し、前記固体空間の右側内壁には連結管が固定的に取り付けられ、前記連結管と前記入口とが連通する。
【００１１】
前記撹拌機構は撹拌空間と、モーターと、回転ロッドと、撹拌ロッドによって構成され、前記撹拌空間がは前記固体空間の後側に上方に開口するように設置され、前記撹拌空間の下方には前記モーターが固定的に取り付けられ、前記モーターの上向きの出力軸の頂面には前記撹拌空間の底壁を貫通した前記回転ロッドが固定的に取り付けられ、前記回転ロッドには前記撹拌ロッドが固定的に取り付けられている。
【００１２】
前記試薬箱の頂面において前記撹拌空間の右側に位置するところには固定ブロックが固定的に取り付けられ、前記固定ブロックの前後側面の間には固定ロッドが固定的に取り付けられ、前記固定ロッドにはカバー板が回転可能に取り付けられ、前記カバー板は前記撹拌空間をカバーできることによって、前記撹拌機構は撹拌を行う時に試薬が飛び散ることを防止する。
【００１３】
前記撹拌空間の後側内壁には出口が連通するように設置され、前記試薬箱の後側面には蛇口が固定的に取り付けられ、前記蛇口が前記出口と連通し、試薬は十分に撹拌された後に前記蛇口によって出ることができる。
【発明の効果】
【００１４】
本願発明の有益な効果は：本願発明は試薬の配合に必要な原料をそれぞれ第一試薬カップと第一試薬カップの中に入れ、伝動機構と計量機構の協働によって押し板とスライド板が上下に移動して第一試薬カップと第二試薬カップの中の原料を一定の比例で取り、原料は多すぎ或いは少なすぎることで試薬の効果に影響する状況の発生を避け、また撹拌機構内のモーターによって試薬の混合はもっと十分になり、カバー板は撹拌空間をカバーできることによって試薬が撹拌の過程に飛び散って試薬を浪費することを防止でき、普及する価値を有する。
【図面の簡単な説明】
【００１５】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の全体構成概略図
【図２】図２は図１のＡ―Ａ方向の断面構成概略図
【図３】図３は本願発明の平面構成概略図
【図４】図４は図１のＢの拡大概略図
【発明を実施するための形態】
【００１７】
図面１〜４を参照し、本願発明は植物の成長速度を調整できる試薬調合装置であって、試薬箱１３を含み、前記試薬箱１３の中には上方に開口した液体空間１２が設置され、前記液体空間１２の中には押し板１４がスライド可能に取り付けられ、前記押し板１４には液体を計量する第一試薬カップ１１があり、前記第一押し板１４の底面と前記液体空間１２の底壁との間には第一ばね１６が固定的に装着され、前記第一試薬カップ１１の中にある液体の量は異なり、前記押し板１４は前記第一ばね１６によって下方に一定の距離移動し、前記液体空間１２の右側には粉末物質を計量する計量機構１０１が設置され、前記液体空間１２の下方には前記計量機構１０１の計量を制御する伝動機構１０２が設置され、前記試薬箱１３において前記計量機構１０１の右側に位置するところには上方に開口した入口３３が設置され、前記入口３３が前記液量機構１０１と連通し、粉末物質が前記入口３３を介して前記計量機構１０１の中に入り、前記計量機構１０１の後側にはまた撹拌機能を備えた撹拌機構１０３が設置されている。
【００１８】
前記伝動機構１０２は前記液体空間１２の下方に連通するように形成された移動溝１７を含み、前記移動溝１７の中には押しロッド１５がスライド可能に取り付けられ、前記押しロッド１５の頂面と前記押し板１４の底面とが固定的に連結され、前記移動溝１７の右側にはヒンジ空間１９が連通するように設置され、前記押しロッド１５にはヒンジロッド１８がヒンジで連結され、前記ヒンジ空間１９の右側には連結溝２３が形成され、前記連結溝２３の中には連結板２０がスライド可能に取り付けられ、前記連結板２０と前記ヒンジロッド１８とがヒンジで連結され、前記連結溝２３の下方には噛合空間４９が連通するように設置され、前記噛合空間４９の前後内壁の間には伝動ロッド５１が回転可能に取り付けられ、前記伝動ロッド５１には歯車５０が固定的に装着され、前記歯車５０と前記連結板２０とが噛み合い、前記噛合空間４９の下方には補助溝２１が連通するように形成され、前記補助溝２１の中には補助板２２がスライド可能に取り付けられ、前記補助板２２と前記歯車５０とが噛み合い、前記補助溝２１の右側にはスライド溝２７が連通するように形成され、前記スライド溝２７の中にはスライダ２４がスライド可能に取り付けられ、前記スライダ２４の中には抜き孔２５が設置され、前記補助板２２の前側には円柱ブロック２６が固定的に取り付けられ、前記円柱ブロック２６と前記抜き孔２５とがスライド可能に取り付けられ、
押し板１４が押しロッド１５を駆動して下方に移動させる時、押しロッド１５はヒンジロッド１８によって連結板２０を駆動して左方に移動させ、連結板２０が歯車５０によって補助板２２を駆動して右方に移動させ、こうしてスライダ２４は上方に移動して計量機構１０１に動力を提供する。
【００１９】
前記計量機構１０１は前記液体空間１２の右側に上方に開口するように設置された固体空間３６を含み、前記固体空間３６の中にはスライド板３９がスライド可能に取り付けられ、前記スライド板３９には粉末物質を貯蔵する第二試薬カップ３８があり、前記スライド板３９の底面と前記固体空間３６の底壁との間には第二ばね４０が固定的に取り付けられ、前記固定空間３６の下方には位置制限空間３０が連通するように設置され、前記位置制限空間３０の中には押し動かしブロック２９がスライド可能に取り付けられ、
スライド板３９が伝動機構１０２によって第二試薬カップ３８を移動させる。
【００２０】
前記スライド溝２７の上方には押し動かし溝３４が連通するように形成され、前記押し動かし溝３４の中には移動板２８がスライド可能に取り付けられ、前記移動板２８の底面と前記スライダ２４の頂面とが固定的に連結され、前記移動板２８の左側面と前記押し動かしブロック２９の右側面とが固定的に連結され、
スライダ２４が移動板２８を押し動かして上方に移動させる時、移動板２８は押し動かしブロック２９によってスライド板３９を駆動して上方に移動させ、こうして押し板１４とスライド板３９とは高度差がある。
【００２１】
前記押し動かし溝３４が上方に伸びて前記入口３３の頂壁を貫通し、前記移動板２８の中には空き溝３２が形成され、前記空き溝３２が前記入口３３と連通し、前記固体空間３６の右側内壁には連結管３５が固定的に取り付けられ、前記連結管３５と前記入口３３とが連通し、
移動板２８が上方に移動する時、空き溝３２が入口３３と連通し、入口３３の中の粉末物質は連結管３５を介して第二試薬カップ３８の中に入る。
【００２２】
前記撹拌機構１０３は前記固体空間３６の後側に設置されて上方に開口した撹拌空間４５を含み、前記撹拌空間４５の下方にはモーター４８が固定的に取り付けられ、前記モーター４８の上向きの出力軸の頂面には前記撹拌空間４５の底壁を貫通した回転ロッド４３が固定的に取り付けられ、前記回転ロッド４３には撹拌ロッド４４が固定的に取り付けられ、
第一試薬カップ１１と第二試薬カップ３８の中の原料を撹拌空間４５の中に入れた後、モーター４８を起動し、モーター４８が回転ロッド４３を駆動して回転させ、回転ロッド４３の回転が撹拌ロッド４４を駆動して回転させ、撹拌ロッド４４が試薬を十分に撹拌する。
【００２３】
前記試薬箱１３の頂面において前記撹拌空間４５の右側に位置するところには固定ブロック４１が固定的に取り付けられ、前記固定ブロック４１の前後側面の間には固定ロッド４２が固定的に取り付けられ、前記固定ロッド４２にはカバー板３７が回転可能に取り付けられ、前記カバー板３７は前記撹拌空間４５をカバーできることによって、前記撹拌機構１０３は撹拌を行う時に試薬が飛び散ることを防止する。
【００２４】
前記撹拌空間４５の後側内壁には出口４６が連通するように設置され、前記試薬箱１３の後側面には蛇口４７が固定的に取り付けられ、前記蛇口４７が前記出口４６と連通し、試薬は十分に撹拌された後に前記蛇口４７によって出ることができる。
【００２５】
使用する時、液体を貯蔵した第一試薬カップ１１を押し板１４に置き、押し板１４が押しロッド１５を駆動して下方に移動させる時、押しロッド１５はヒンジロッド１８によって連結板２０を駆動して左方に移動させ、連結板２０が歯車５０によって補助板２２を駆動して右方に移動させ、こうしてスライダ２４は上方に移動し、スライダ２４が移動板２８を押し動かして上方に移動させる時、移動板２８は押し動かしブロック２９によってスライド板３９を駆動して上方に移動させ、こうして押し板１４とスライド板３９とは高度差があり、この時、空き溝３２が入口３３と連通し、入口３３の中の粉末物質は連結管３５を介して第二試薬カップ３８の中に入り、スライド板３９と押し板１４とがバランスを取った後、第二試薬カップ３８が下方に移動して入口３３を閉鎖し、入口３３の中の粉末物質は第二試薬カップ３８に流れなくなり、第一試薬カップ１１と第二試薬カップ３８から相互配合された液体と粉末物質を取れ、そして第一試薬カップ１１と第二試薬カップ３８の中の原料を撹拌空間４５の中に入れた後、モーター４８を起動し、モーター４８が回転ロッド４３を駆動して回転させ、回転ロッド４３の回転が撹拌ロッド４４を駆動して回転させ、撹拌ロッド４４が試薬を十分に撹拌し、カバー板３７は前記撹拌空間４５をカバーできることによって、前記撹拌機構１０３は撹拌を行う時に試薬が飛び散ることを防止し、試薬は十分に撹拌された後に前記蛇口４７によって出ることができる。
【００２６】
本願発明の有益な効果は：本願発明は試薬の配合に必要な原料をそれぞれ第一試薬カップと第一試薬カップの中に入れ、伝動機構と計量機構の協働によって押し板とスライド板が上下に移動して第一試薬カップと第二試薬カップの中の原料を一定の比例で取り、原料は多すぎ或いは少なすぎることで試薬の効果に影響する状況の発生を避け、また撹拌機構内のモーターによって試薬の混合はもっと十分になり、カバー板は撹拌空間をカバーできることによって試薬が撹拌の過程に飛び散って試薬を浪費することを防止でき、普及する価値を有する。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020184986.tif 000003
【図２】
2020184986.tif 000004
【図３】
2020184986.tif 000005
【図４】
2020184986.tif 000006